(57)【要約】【課題】操作性を損なうことなく表示装置の表示内容を拡大することができる画像処理装置を提供する。【解決手段】通常表示と拡大表示とを切り替え可能に表示する表示手段１６２と、通常表示においては、優先順位の存在しない複数の表示パーツ２０１を含む第１の表示部２０２と、優先順位が付された複数の表示パーツ２０３〜２０８、２１０ａ〜２１０ｄを含む第２の表示部２０９とを前記表示手段に表示させ、前記拡大表示においては、前記第１の表示部２０２の表示パーツ２０１を、相互の位置関係を変えることなく前記表示画面に拡大表示させるとともに、前記第２の表示部２０９における表示パーツ２０３〜２０８、２１０ａ〜２１０ｄを、優先順位に基づいて拡大表示させる表示制御手段１１と、通常表示と拡大表示とを切り替えるための表示切り替え手段１６３とを備えている。【選択図】  図４
2006165896.tif 000002
【特許請求の範囲】
【請求項１】
通常表示と拡大表示とを切り替え可能に表示する表示手段と、
前記通常表示においては、優先順位の存在しない複数の表示パーツを含む第１の表示部と、優先順位が付された複数の表示パーツを含む第２の表示部とを前記表示手段の表示画面に表示させ、前記拡大表示においては、前記第１の表示部の表示パーツを、相互の位置関係を変えることなく前記表示画面に拡大表示させるとともに、前記第２の表示部における表示パーツを、優先順位に基づいて拡大表示させる表示制御手段と、
前記表示手段の通常表示と拡大表示とを切り替えるための表示切り替え手段と、
を備えたことを特徴とする画像処理装置。
【請求項２】
前記第１の表示部の表示パーツは、画像データを宛先に送信するための宛先設定キーであり、前記第２の表示部の表示パーツは、画像処理装置の機能を設定するための機能設定キーである請求項１に記載の画像処理装置。
【請求項３】
前記第２の表示部の各表示パーツに付された優先順位は、予め設定されたものである請求項１または２に記載の画像処理装置。
【請求項４】
前記第２の表示部の各表示パーツに付された優先順位は、各表示パーツの使用履歴に基づいて設定されたものである請求項１または２に記載の画像処理装置。
【請求項５】
表示制御手段は、拡大表示に際して、第２の表示部の複数の表示パーツのうち、使用履歴に基づき使用頻度の高い表示パーツを優先的に表示させる請求項４に記載の画像処理装置。
【請求項６】
表示制御手段は、拡大表示に際して、第２の表示部の複数の表示パーツのうち、使用履歴に基づき使用頻度の低い表示パーツを優先的に表示させる請求項４に記載の画像処理装置。
【請求項７】
第２の表示部の表示パーツを、予め設定された優先順位に基づいて拡大させるか、表示パーツの使用履歴に基づいて拡大させるかを、設定可能となされている請求項１または２に記載の画像処理装置。
【請求項８】
使用履歴に基づき使用頻度の高い表示パーツを優先的に表示させるか、使用頻度の低い表示パーツを優先的に表示させるかを、設定可能となされている請求項７に記載の画像処理装置。
【発明の詳細な説明】
【技術分野】
【０００１】
この発明は、ＭＦＰ（Multi Function Peripherals) などの画像処理装置に関する。
【背景技術】
【０００２】
一般に、コピー機能、プリンタ機能、スキャン機能、ファクシミリ機能等を備えた複合機であるＭＦＰなどでは、操作パネルの表示装置に、前記機能を使用するための機能設定キーが表示されている。さらに、スキャンした画像データ等を電子メール送信、ＦＴＰ（File Transfer Protocol）送信、ファクシミリ送信等により送信する場合に、送信宛先を設定するための送信宛先キーも表示されている。
【０００３】
ところで、視覚機能にハンディキャップのあるユーザに対して前記操作パネルを操作しやすいようにするために、表示装置の表示を拡大する技術が提案されている。
【０００４】
たとえば、特許文献１には、拡大表示が指示されると、表示コントローラがＶＲＡＭに画面情報を拡大展開し、シフトキーのスクロール指示状態に従って表示コントローラがＶＲＡＭへの拡大画面情報の展開を制御する構成が記載されている。
【０００５】
また、特許文献２には、画像形成装置の入力機構付き表示装置に表示される表示内容を適宜拡大可能とすることにより、ボタン等の操作、認識がしやすい画面構成を可能とすることが記載されている。
【特許文献１】特開平６−５９６４７号公報
【特許文献２】特開２００３−９８９０８号公報
【発明の開示】
【発明が解決しようとする課題】
【０００６】
しかし、前記特許文献１に記載の表示拡大技術では、単純に上下左右の比率を変えるだけであるので、拡大画面において各表示キーの位置関係は拡大前の通常画面での位置関係が保持されるが、表示しきれない隠れた表示キーが機械的に発生してしまい、操作性が良くないという欠点があった。
【０００７】
また、前記特許文献２に記載の拡大表示技術では、通常画面において、どのキーがどのあたりにあるのかを知っている必要があり、知らない場合には、拡大表示させたい内容があると思われる箇所を予測して拡大しなければならず、やはり操作性が良くなかった。
【０００８】
この発明は、このような技術的背景に鑑みてなされたものであって、操作性を損なうことなく表示装置の表示内容を拡大することができる画像処理装置の提供を課題とする。
【課題を解決するための手段】
【０００９】
上記課題は、以下の手段によって解決される。
（１）通常表示と拡大表示とを切り替え可能に表示する表示手段と、前記通常表示においては、優先順位の存在しない複数の表示パーツを含む第１の表示部と、優先順位が付された複数の表示パーツを含む第２の表示部とを前記表示手段の表示画面に表示させ、前記拡大表示においては、前記第１の表示部の表示パーツを、相互の位置関係を変えることなく前記表示画面に拡大表示させるとともに、前記第２の表示部における表示パーツを、優先順位に基づいて拡大表示させる表示制御手段と、前記表示手段の通常表示と拡大表示とを切り替えるための表示切り替え手段と、を備えたことを特徴とする画像処理装置。
（２）前記第１の表示部の表示パーツは、画像データを宛先に送信するための宛先設定キーであり、前記第２の表示部の表示パーツは、画像処理装置の機能を設定するための機能設定キーである前項１に記載の画像処理装置。
（３）前記第２の表示部の各表示パーツに付された優先順位は、予め設定されたものである前項１または２に記載の画像処理装置。
（４）前記第２の表示部の各表示パーツに付された優先順位は、各表示パーツの使用履歴に基づいて設定されたものである前項１または２に記載の画像処理装置。
（５）表示制御手段は、拡大表示に際して、第２の表示部の複数の表示パーツのうち、使用履歴に基づき使用頻度の高い表示パーツを優先的に表示させる前項４に記載の画像処理装置。
（６）表示制御手段は、拡大表示に際して、第２の表示部の複数の表示パーツのうち、使用履歴に基づき使用頻度の低い表示パーツを優先的に表示させる前項４に記載の画像処理装置。
（７）第２の表示部の表示パーツを、予め設定された優先順位に基づいて拡大させるか、表示パーツの使用履歴に基づいて拡大させるかを、設定可能となされている前項１または２に記載の画像処理装置。
（８）使用履歴に基づき使用頻度の高い表示パーツを優先的に表示させるか、使用頻度の低い表示パーツを優先的に表示させるかを、設定可能となされている前項７に記載の画像処理装置。
【発明の効果】
【００１０】
前項（１）に記載の発明によれば、拡大表示においては、第１の表示部に含まれる優先順位の存在しない表示パーツについては、通常画面との位置関係を変えることなく表示され、第２の表示部に含まれる優先順位が付された表示パーツについては優先順位に基づいて表示される。このように、並列的な関係にある表示パーツと、優先順位を付しても良い表示パーツとで、拡大表示の時の表示態様を変えたから、通常表示と同じ感覚で操作を行うことができ、操作性の低下を防止しつつ拡大表示することができる。
【００１１】
前項（２）に記載の発明によれば、画像データを宛先に送信するための宛先設定キーは位置関係を変えることなく拡大表示され、画像処理装置の機能を設定するための機能設定キーは優先順位に基づいて拡大表示されるから、拡大表示後においても、宛先設定キーの選択操作や機能設定キーの選択操作を行いやすく、操作性に優れた使い勝手の良い画像処理装置となし得る。
【００１２】
前項（３）に記載の発明によれば、第２の表示部の各表示パーツに付された優先順位は、予め設定されたものであるから、設定された優先順位で拡大表示される。
【００１３】
前項（４）に記載の発明によれば、第２の表示部の各表示パーツに付された優先順位は、表示パーツの使用履歴に基づいて設定されたものであるから、拡大表示に際してよく使う表示パーツが優先的に表示される。
【００１４】
前項（５）に記載の発明によれば、拡大表示に際して、第２の表示部の複数の表示パーツのうち、使用履歴に基づき使用頻度の高い設定キーが優先的に表示されるから、よく使う設定キーが優先的に表示され、便利である。
【００１５】
前項（６）に記載の発明によれば、拡大表示に際して、第２の表示部の複数の表示パーツのうち、使用履歴に基づき使用頻度の低い表示パーツが優先的に表示されるから、普段と変わった表示パーツを操作する場合には便利である。
【００１６】
前項（７）に記載の発明によれば、第２の表示部の表示パーツを、予め設定された優先順位に基づいて拡大させるか、表示パーツの使用履歴に基づいて拡大させるかについて、ユーザの事情に応じて設定することができる。
【００１７】
前項（８）に記載の発明によれば、使用履歴に基づき使用頻度の高い表示パーツを優先的に表示させるか、使用頻度の低い表示パーツを優先的に表示させるかを、ユーザの事情等に応じて設定することができる。
【発明を実施するための最良の形態】
【００１８】
以下、この発明の一実施形態を図面に基づいて説明する。
【００１９】
この実施形態では、画像処理装置としてコピー機能、プリンタ機能、ファクシミリ（以下ＦＡＸという）機能、スキャン機能を有するＭＦＰを例示する。
【００２０】
図１は、前記ＭＦＰの電気的構成を示すブロック図である。
【００２１】
このＭＦＰ１は、スキャナ部１４、記憶部１５、操作パネル１６、プリンタ部１７、ＦＡＸ部１８、ネットワークインターフェース（ネットワークＩ／Ｆ部という）１９、認証部２０、ＣＰＵ１１、ＲＡＭ１２及びＲＯＭ１３等を有している。
【００２２】
前記スキャナ部１４は、原稿台に載置された原稿の画像を読み取って画像信号を出力する。
【００２３】
前記記憶部１５は、例えばハードディスク（ＨＤＤ）からなり、画像データなどを記憶する他に、操作パネル１６の表示装置１６２に表示された機能設定キーや表示部等各表示パーツについての属性や、表示パーツを通常表示から拡大表示に切り替える際にユーザ毎に設定された拡大表示画面の種類や、機能設定キーについてのユーザ毎のあるいはユーザ全体の過去の使用履歴（操作履歴）等を記憶している。これらの点については後述する。
【００２４】
前記操作パネル１６は、テンキー、スタートキー、リセットキー等の各種のハードキーを備えた入力キー部１６１と、液晶等からなるタッチ入力可能な表示装置１６２とを備えている。ユーザは、前記入力キー部１６１や表示装置１６２に表示された設定キーを操作することにより、コピー機能、プリント機能、スキャン機能、ＦＡＸ機能等、ユーザが使用したいＭＦＰ１の機能の設定や、画像データを電子メール送信、ＦＴＰ（File Transfer Protocol）送信、ファクシミリ送信等により送信する場合の送信宛先の設定を行うことができるようになっている。また、前記入力キー部１６１には、表示装置１６２の通常表示画面と拡大表示画面とを切り替える通常・拡大画面切替キー１６３が設けられている。この通常・拡大画面切替キー１６３は他のキーと兼用しても良い。
【００２５】
前記プリンタ部１７は、スキャナ部１４で読み込んだ画像データやＰＣ２から送信されてきたプリントデータ等をプリントするものである。
【００２６】
前記ＦＡＸ部１８は、電話回線を介して外部機器との間で画像データを送受信するものである。
【００２７】
前記ネットワークＩ／Ｆ部１９は、ＰＣ２、部サーバ３、外部宛先サーバ５等との間でのデータの授受を行うための通信部として機能する。
【００２８】
前記認証部２０は、ユーザが入力したユーザ名と暗証番号等の識別情報により、ユーザ認証を行うものである。
【００２９】
前記ＣＰＵ１１は、全体を統括制御する他に、前記通常・拡大画面切替キー１６３が操作されたか否かを判断したり、拡大表示画面が複数頁にわたるときに、拡大表示画面同士を切り替えるための次頁キーや前頁キーが操作されたか否かを判断する判断機能を有している。さらに、前記通常・拡大画面切替キー１０３、次頁キー、前頁キーの操作に応じて、表示装置１６２の表示内容を制御する表示制御手段として機能する。
【００３０】
前記ＲＡＭ１２は、ＣＰＵ１１が処理動作するための作業領域として機能し、前記ＲＯＭ１３は、ＣＰＵ１１の動作プログラムを記憶するメモリである。
【００３１】
図２は、操作パネル１６の表示装置１６２に表示される通常表示画面を示す図である。なお、図２及び以下の図面において、斜線が付されたキーは、そのキーが選択されていることを示す。
【００３２】
図２に示す通常表示画面では、左側に、電子メール、ＦＴＰ送信、ＦＡＸ送信時の送信宛先を選択するための複数の宛先設定キー２０１を有する第１の表示部としてのリスト部２０２が表示され、リスト部２０２の上方位置に、タブ形式の「プログラム」「グループ」「アドレス帳」「ダイレクト入力」「読込設定」「通信設定」の各機能設定キー２０３〜２０８を有する第２の表示部としての機能設定部２０９が表示されている。また、リスト部２０２の右側には、読込設定キー２０７や通信設定キー２０８の具体的内容を設定するための詳細設定キー群２１０が表示されている。
【００３３】
前記「プログラム」キー２０３は予めプログラムされた送信方法で画像データを送信する場合に操作され、「グループ」キー２０４は所定のグループに属するユーザに送信する場合に操作され、「アドレス帳」キー２０５はアドレス帳に基づいて送信する場合に操作され、「ダイレクト入力」キー２０６は送信宛先を表示されたリストから選択するのではなく直接に入力する場合に操作される。「読込設定」キー２０７は、前記スキャナ部１４で原稿を読み込む際の具体的な設定を行うものであり、この実施形態では、原稿の読み取りを片面のみ行うか両面を行うかを設定する「片面／両面」キー２１０ａ、画質キー２１０ｂ、「解像度」キー２１０ｃ、「濃度」キー２１０ｄ、原稿の読込モードであることを示す「原稿読込モード」表示部２１０ｅが表示されている。「通信設定」キー２０８は詳細な通信設定を行う場合に操作される。
【００３４】
さらにこの実施形態では、表示装置１６２の最上部に、ジョブ確認表示部２２０、時計表示部２２１、送信可能であることを示すメッセージ表示部２２２、送信宛先のアドレスが表示された宛先確認用表示部２２３、宛先件数表示部２２４、メモリ残量表示部２２５が表示されている。さらにリスト部２０２の下方に、リスト部２０２に表示された宛先設定キー２０１のユーザが所属するグループ名を表示したグループ名表示部２３０と、前頁キー２３１と、次頁キー２３２と、ページ一覧キー２３３が表示されている。
【００３５】
この実施形態では、１個ずつの表示単位である表示パーツとしての各設定キーや各表示部には、ユーザによって拡大表示が指示されたときに採る役割が付与されている。この役割は大別すると次のとおりである。
Ｅ：参考情報であるため、拡大表示させた場合には表示する必要がなく、消去する表示パーツ、
Ｌ：表形式（リスト形式）のパーツであり、拡大時に表示できる数は減少しても位置関係は保持する表示パーツ、
Ｈ：拡大させると画面に入りきらないので、優先順位を付し奥の画面に隠す表示パーツ。
【００３６】
このように各表示パーツに役割を付し、拡大時に各表示パーツがどのように処理されればよいかについての情報を付与しているから、拡大表示させた場合に各表示パーツが役割通りに処理されることで、拡大表示の画面が完成する。なお、表示パーツに付された役割は、前記記憶部１５に記憶されている。
【００３７】
図２に示した表示装置の表示画面において、各表示パーツに前記役割を付すと図３のようになる。
【００３８】
すなわち、リスト部２０２の各送信宛先設定キー２０１については、リスト形式なので、前記Ｌの役割を付す。具体的には、１５個の送信宛先設定キー２０１のうち６個のみをキー幅を広げて拡大表示し、残りの９個は次頁以降の画面に表示させる。
【００３９】
ジョブ確認表示部２２０、時計表示部２２１、メモリ残量表示部２２５は参考情報なので拡大表示する必要が無く、前記Ｅの役割を付す。
【００４０】
前記宛先件数表示部２２４については、前記Ｈの役割を付して高い優先順位を設定し、拡大表示の時には件数の数値部分のみを拡大表示する。
【００４１】
「プログラム」キー２０３、「グループ」キー２０４、「アドレス帳」キー２０５、「ダイレクト入力」キー２０６の各機能設定キー、及びメッセージ表示部２２２については、前記Ｈの役割を付して高い優先順位を設定し、拡大表示の時には位置を移動した上で拡大表示する。
【００４２】
読込設定キー２０７、通信設定キー２０８については、詳細設定を行うための入り口となるため、前記Ｈの役割を付して高い優先順位を設定し、拡大表示する。
【００４３】
機能設定キーである詳細設定キー２１０、モード表示部２１０ｅは、前記Ｈの役割を付すが、優先順位を低く設定して、拡大表示画面に現れないように隠すものとする。ただし、拡大表示画面において、前記読込設定キー２０７あるいは通信設定キー２０８が押された場合には、読込設定あるいは通信設定の詳細設定画面が表示され、この画面において詳細設定キー２１０、モード表示部２１０ｅが拡大表示される。
【００４４】
前記グループ名表示部２３０、ページ一覧キー２３３については、前記Ｈの役割を付して高い優先順位を設定し、拡大表示する。前頁キー２３１、次頁キー２３２については、前記Ｅの役割を付して拡大表示画面から消去する。
【００４５】
図４は、各表示パーツに前記役割が付されている状態で、ユーザによって通常・拡大画面切替キー１６３が押されたときに、通常画面から切り替わった拡大画面を示すものである。この拡大画面への切替制御は、通常・拡大画面切替キー１６３が押されたことを検出した前記ＣＰＵ１１によって行われる。
【００４６】
この拡大画面では、各表示パーツは前記役割どおりに処理される結果、送信宛先設定キー２０１が相互の位置関係を変えることなく拡大表示され、またメッセージ表示部２２２、宛先件数表示部２２４、「プログラム」キー２０３、「グループ」キー２０４、「アドレス帳」キー２０５、「ダイレクト入力」キー２０６、「読込設定」キー２０７、「通信設定」キー２０８、グループ名表示部２３０、「ページ一覧」キー２３３が拡大表示されている。
【００４７】
なお、図４に示す「１」「２」「３」の各キー２４０は、拡大された宛先設定キー２０１を一画面で表示できず３頁に及ぶための各頁切替キーであり、図２の通常画面では表示されず拡大画面でのみ表示される補助操作キーである。
【００４８】
図４の拡大画面において、ユーザが「読込設定」キー２０７あるいは「通信設定」キー２０８を押すと、詳細設定キー及びモード表示部が拡大表示された画面に遷移する。図５に「読込設定」キー２０７が押された場合の拡大表示画面を示す。この画面では、「片面／両面」キー２１０ａ、画質キー２１０ｂ、「解像度」キー２１０ｃ、「濃度」キー２１０ｄの各詳細設定キー２１０と「原稿読込モード」表示部２１０ｅが拡大表示され、ユーザは各詳細設定キー２１０で所望の条件を設定することができる。「キャンセル」キー２４１及び「ＯＫ」キー２４２は、通常画面では表示されず、図５の詳細設定拡大画面において表示されるキーである。
【００４９】
このように、図３〜図５に示した実施形態では、リスト部２０２に表示された送信宛先設定キー２０１は優先順位を付すことなく相互の位置関係を保持した状態で拡大表示し、機能設定キー２０３〜２０８、２１０やその他の表示パーツは優先順位を付して必要なもののみを拡大表示し、不要なものは拡大表示画面から消去し、あるいは隠すようにしたから、ユーザは通常表示画面と何ら変わらない感覚で各キーを操作したり表示を認識することができ、良好な操作性を確保することができる。
【００５０】
図６はこの発明の他の実施形態を示すものである。この実施形態では、拡大表示に際しての機能設定キー２０３〜２０８の優先順位を、予め設定された優先順位ではなく、記憶部１５に記憶された各キーの使用履歴に基づき使用頻度の多いキーに対して優先順位を高く設定し、拡大表示の際の配置を変更したものである。
【００５１】
例えば、図７の表に示すように、各機能設定キー２０３〜２０８の使用頻度（押された回数）が記憶部１５に記憶されているものとする。この表によれば、「プログラム」キー２０３、「ダイレクト入力」キー２０６、「読込設定」キー２０７、「通信設定」キー２０８、「アドレス帳」キー２０５、「グループ」キー２０４の順で使用頻度が高く、この順で拡大表示に際しての優先順位が高くなっている。
【００５２】
図６の拡大画面では、前記優先順位に基づき、送信宛先キー２０１と「プログラム」キー２０３、「ダイレクト入力」キー２０６、「読込設定」キー２０７が表示画面の半分以上を占める主画面に拡大表示され、優先順位の低い「通信設定」キー２０８、「アドレス帳」キー２０５、「グループ」キー２０４は右側の表示領域の小さい副画面にまとめて拡大表示されている。
【００５３】
このように、使用頻度の多い機能設定キーを見やすい位置に優先的に拡大表示させるから、これらのキーを良く使用するユーザにとっては便利である。
【００５４】
なお、この実施形態では、「プログラム」キー２０３、「ダイレクト入力」キー２０６、「読込設定」キー２０７、「通信設定」キー２０８、「アドレス帳」キー２０５、「グループ」キー２０４の全てを拡大表示させるものとしたが、優先順位の低いキーについては図６の拡大表示画面に表示させることなく隠しても良い。
【００５５】
図８は、この発明のさらに他の実施形態を示すものである。この実施形態では、図６の実施形態とは逆に、拡大表示に際しての機能設定キー２０３〜２０８の優先順位を、使用頻度の多いキーではなく、少ないキーに対して優先順位を高く設定し、拡大表示の際の配置を変更したものである。
【００５６】
例えば、図７の表に示すように、各機能設定キー２０３〜２０８の使用頻度（押された回数）が記憶部１５に記憶されているものとすると、「プログラム」キー２０３、「ダイレクト入力」キー２０６、「読込設定」キー２０７、「通信設定」キー２０８、「アドレス帳」キー２０５、「グループ」キー２０４の順で使用頻度が高いから、これとは逆の順序で拡大表示に際しての優先順位が高く設定される。
【００５７】
図８の拡大画面では、前記優先順位に基づき、グループリストキー２５０と「グループ」キー２０４、「アドレス帳」キー２０５、「通信設定キー」キー２０８が表示領域の大きい主画面に拡大表示され、優先順位の低い「プログラム」キー２０３、「ダイレクト入力」キー２０６、「読込設定」キー２０７は右側の表示領域の小さい副画面に拡大表示されている。
【００５８】
このように、この実施形態では、使用頻度の少ない機能設定キーを見やすい位置に優先的に拡大表示させるものである。使用頻度の高い機能設定キーについては、ユーザが通常表示画面で使い慣れているため、拡大表示画面で多少見にくい位置に表示されていても認識できるが、通常と異なる設定をするときなどに使用頻度の少ない機能設定キーを優先的に表示させることで、使い慣れないキーを操作しやすくなる。
【００５９】
なお、図６〜図８に示した使用頻度に基づく拡大表示に際しての使用頻度は、全ユーザについての累積値であっても良いし、ユーザ毎に使用回数をカウントできるようにしておき、認証部２０で認証を受けたユーザ毎に、使用頻度に基づく拡大表示画面を変更しても良い。
【００６０】
また、ユーザ毎の拡大表示画面の方式を、管理者等が予め設定できるようにしても良い。図９は、ユーザ毎の拡大表示画面を設定するための設定画面を示すものである。
【００６１】
図９に示す例では、ユーザに対応するユーザ番号ごとに、拡大表示方式として「おすすめ拡大」と「履歴拡大」を選択設定できるようになっている。「おすすめ拡大」方式とは、図４に示したように、拡大表示画面がメーカなどにより予め設定されている方式をいい、「履歴拡大」方式とは、図６〜図８に示したように機能設定キーの使用履歴に基づいて拡大する方式である。
【００６２】
また、「履歴拡大」方式を選択した場合は、図６に示した使用頻度の多いキーが優先順位の高い「高頻度拡大」方式と、図８に示した使用頻度の少ないキーが優先順位の高い「低頻度拡大」方式を選択できるようになっている。
【００６３】
さらに、認証部２０によりユーザ認証を受けた後に、通常画面を表示させることなく自動的に拡大画面を表示するかしないかを、選択できるようになっている。
「ＯＫ」キー３０１を押すと設定内容が記憶部１５に記憶され、「キャンセル」キー３０２を押すと設定内容がキャンセルされる。
【００６４】
ＣＰＵ１１は、ユーザ認証されたユーザに応じた設定内容の拡大表示画面を、通常・拡大画面切替キー１６３が押されたときに、あるいは自動的に表示する。
【００６５】
以上、本発明の一実施形態を説明したが、本発明はこれらの実施形態に限定されることはない。例えば、位置関係を変えることなく拡大する表示パーツとして、送信宛先キー２０１、グループリストキー２５０を例示し、優先順位に基づいて拡大させる表示パーツとして機能設定キー２０３〜２０８等を例示したが、これらに限定されることはなく、相互の位置関係を変えることなく表示画面に拡大表示させる表示パーツと、優先順位に基づいて拡大表示させる表示パーツが存在すればよい。
【００６６】
また、ユーザ認証はＭＦＰ１の外部に設けた認証装置により行うものとしても良い。
【図面の簡単な説明】
【００６７】
【図１】この発明の一実施形態に係る画像処理装置の電気的構成を示すブロック図である。
【図２】表示装置の通常表示画面を示す図である。
【図３】同じく通常表示画面の各表示パーツに付された役割を説明するための図である。
【図４】図２の通常画面を拡大表示した図である。
【図５】図４の拡大表示画面で「読込設定キー」を押したときの遷移画面を示す図である。
【図６】拡大表示画面の他の例を示すである。
【図７】機能設定キーの使用頻度を示す表である。
【図８】拡大表示画面のさらに他の例を示すである。
【図９】拡大画面の方式をユーザ毎に設定するための設定画面を示す図である。
【符号の説明】
【００６８】
１              ＭＦＰ（画像処理装置）
１１            ＣＰＵ（表示制御手段）
１５            記憶部
１６            操作パネル
１６２          表示装置（表示手段）
１６３          通常・拡大画面切替キー
２０１          宛先設定キー（表示パーツ）
２０２          リスト部（第１の表示部）
２０３〜２０８  機能設定キー（表示パーツ）
２０９          機能設定部（第２の表示部）
２１０ａ〜２１０ｄ  詳細設定キー（機能設定キー、表示パーツ）
２２０        ジョブ確認表示部（表示パーツ）
２２２        メッセージ表示部（表示パーツ）
２３０        グループ名表示部（表示パーツ）
【図１】
2006165896.tif 000003
【図２】
2006165896.tif 000004
【図３】
2006165896.tif 000005
【図４】
2006165896.tif 000006
【図５】
2006165896.tif 000007
【図６】
2006165896.tif 000008
【図７】
2006165896.tif 000009
【図８】
2006165896.tif 000010
【図９】
2006165896.tif 000011